(57)【要約】【課題】カウンターシンク用キャビネットの幕板部に、安価に収納スペースを持たせつつ、シンクの使い勝手を損なわないカウンターシンク用キャビネットを提供する。【解決手段】シンクと、シンク下方に収納部を有すると共に、収納部前面には扉が設けられ、この扉を開けた状態でシンク裏面側を隠す幕板を備えたカウンターシンク用キャビネットであって、幕板本体の収納上部は、扉側からシンク裏面側へと下り勾配となる傾斜部と、収納部下部には収納物を一時的に保持する保持部を備えていることを特徴としたので、カウンターシンクキャビネットの幕板に収納された収納物を出し入れする際に、傾斜部があることにより、収納物を取り出す際に手が幕板の天面下部と緩衝する事無く、容易に収納物を取り出すことできる。【選択図】  図３
2004313502.tif 000002
【特許請求の範囲】
【請求項１】
カウンターに取り付けられたシンクと、前記シンク下方に収納部を有すると共に、前記収納部前面には扉が設けられ、この扉を開けた状態でシンク裏面側を隠す幕板を備えたカウンターシンク用キャビネットであって、前記幕板本体の収納上部は、扉側からシンク裏面側へと下り勾配となる傾斜部と、収納部下部には収納物を一時的に保持する保持部を備えていることを特徴とするカウンターシンク用キャビネット。
【請求項２】
前記カウンター裏面側と当接する前記幕板本体部は、断面略口字状の枠形状であることを特徴とする請求項１記載のカウンターシンク用キャビネット。
【請求項３】
前記扉が当接する前記幕板本体部は、平坦面で形成されることを特徴とする請求項１乃至２のいずれかに記載のカウンターシンク用キャビネット。
【請求項４】
前記幕板本体の収納部は、固定部と可動部で形成されており、固定部の下端と溝部分と可動部のフック部分が嵌合していることを特徴とする請求項１乃至３のいずれかに記載のカウンターシンク用キャビネット。
【発明の詳細な説明】
【０００１】
【発明の属する技術分野】
本発明は、シンクを上部に備えたカウンターシンク用キャビネットに関する。
【０００２】
【従来の技術】
従来キッチンに設置されるカウンターシンク用キャビネットは、シンクを上部に備え下部は収納空間として利用している。
【０００３】
【特許文献１】
特開２００２‐４５２４８号公報（第４頁、第１図‐第２図）
【特許文献２】
実用新案登録第３０７０７４７号公報（第２頁、第１図‐第２図）
【０００４】
【発明が解決しようとする課題】
従来のキッチンに設置されるカウンターシンク用キャビネットでは、キャビネット内の空間を有効に利用するため、収納空間のシンクをの裏面側を隠すために設けられた幕板の部分に収納スペースを設けていた。しかしながら、この幕板部分に十分な収納スペースをとろうとした場合、シンクとカウンター前面との距離が長く必要になり、通常の料理を行う際や食器を洗う際には身体の中心と水栓の吐水部との距離が長くなるため、前かがみになり使い勝手が悪くなるという問題が生じる恐れがある。また、幕板前面に収納部を更に追加したものでは若干の収納スペースが増えはするが、メカニカル的な構成を必要とするので価格の高騰が免れなかった。
【０００５】
特に調理や洗い物の際にでる生ゴミ等の処理を速やかに行いたいものだが、ゴミ袋の収納場所がシンク近傍にないと、一旦作業を中断して手を拭いてからゴミ袋を用意するという煩わしさが頻繁に起こりうる。
本発明は、上記問題を解決するためになされたもので、本発明の目的は、カウンターシンク用キャビネットの幕板部に、安価に収納スペースを持たせつつ、シンクの使い勝手を損なわないカウンターシンク用キャビネットを提供することにある。
【０００６】
【課題を解決するための手段】
上記目的を達成するために請求項１は、シンクと、シンク下方に収納部を有すると共に、収納部前面には扉が設けられ、この扉を開けた状態でシンク裏面側を隠す幕板を備えたカウンターシンク用キャビネットであって、幕板本体の収納上部は、扉側からシンク裏面側へと下り勾配となる傾斜部と、収納部下部には収納物を一時的に保持する保持部を備えていることを特徴としたので、カウンターシンクキャビネットの幕板に収納された収納物を出し入れする際に、傾斜部があることにより、収納物を取り出す際に手が幕板の天面下部と緩衝する事無く、容易に収納物を取り出すことできる。また、収納物を収納する際でも、傾斜部が収納物に当たり、収納する際の動作のガイドとなり、容易に収納物を収納することができる。
【０００７】
請求項２記載の発明によれば、請求項１記載の発明において、幕板本体のカウンターと当接する部分が断面略口字状の枠形状であることを特徴としたので、本発明によれば、カウンターの当接する面には幕板の平坦面がありカウンターの荷重を水平に受けることができる。また、幕板上面はカウンターとの当接面から垂直に下方向に延びており、幕板の傾斜部と合流し、口字形状になり、カウンターの荷重を幕板で支えることができる。
【０００８】
請求項３記載の発明によれば、請求項１乃至２のいずれかに記載の発明において、扉が当接する幕板本体部には、防虫パッキンが取り付けられるように平坦面で形成されることを特徴としたので、本発明によれば、シンクキャビネット内に虫の侵入を防ぐことができる。
【０００９】
請求項４記載の発明によれば、請求項１乃至３のいずれかに記載の発明において、幕板は、固定部と可動部で構成されており、固定部の下端の溝部分と可動部の上端部はフック構造により、固定部と可動部は嵌合することを特徴としたので、本発明によれば、幕板の可動部は容易に取り外すことができる。
【００１０】
【発明の実施の形態】
図１は、本発明のシンクとシンクキャビネットを示す正面図である。キッチン（図示せず）の幕板１は、キャビネット２の上面に設置されたシンク３の裏面部の正面を目隠しするように設けられ、幕板１の一部を後退させて、奥行を持たせている。幕板１の中央部には中仕切り４を設置することにより、幕板１の中央部に荷重が掛かった場合でも、幕板１がたわむことない。
【００１１】
図２は、シンクキャビネットを示す断面図である。シンクキャビネット２の前面とシンク３の前面には、空間があり、幕板本体部１ａが設置されている。幕板本体部１ａ  は薄型樹脂又は薄型金属板であるが、下端部には収納物を一時的に保管する保持部５を形成し、通常３の付近で使用するふきん、袋、スポンジなど煩雑したものを収納することができる。幕板本体部１ａはカウンター６の荷重を支える為、幕板本体部１ａはカウンター６と当接する平坦面を持ち、幕板本体部１ａの平坦面から扉と平行に下方向に延長された部分が幕板本体部１ａの傾斜９と合流し、口字形状８を形成している。幕板本体部１ａの前面には、口字形状８の下において、扉側１８からシンク裏面側へと下り勾配となる傾斜９がある。
【００１２】
図３は、幕板の詳細を示す詳細図である。幕板１は幕板固定部１０と幕板可動部１１の２部品から構成されている。幕板固定部１０の裏面側の下部には上下に２本の溝１２があり、幕板可動部１１の内側には上下にフック１３があり、幕板固定部１０と幕板可動部１１は、溝１２とフック１３の嵌合により固定されている。幕板１にゴミや細かいものが落ちた場合でも幕板可動部１１を取り外すことにより、幕板１の中の不要物を容易に取り出すことができる。幕板１の幕板可動部１１の扉側裏面には、溝加工１４があり、仕切り１５設置することができる。幕板３の扉１８との当接面の前面平坦部１６には防虫パッキン１７が設置できる。
【００１３】
【発明の効果】
本発明は上記記載ににより次の効果を発揮する。
請求項１では、幕板に収納することができ、収納物を用意に取り出すことができる。
【００１４】
請求項２では、幕板の断面形状が口字状であることより、カウンターの荷重を支えることができる。
【００１５】
請求項３では、幕板の扉と当接する面が平坦面であることにより、防虫パッキンが取り付けることができる。
【００１６】
請求項４では、幕板が２部材から構成されていることにより、幕板を容易に取り外すことができる。
【図面の簡単な説明】
【図１】本発明のシンクキャビネットを示す正面図である。
【図２】本発明のシンクキャビネット幕板の断面図である。
【図３】本発明の幕板の詳細を示す詳細図である。
【符号の説明】
１…幕板
１ａ・・幕板本体部
２…シンクキャビネット
３…シンク
４…中仕切り
５…保持部
６…カウンター
７…平坦面
８…幕板口字形状
９…傾斜
１０…幕板固定部
１１…幕板可動部加工
１２…溝
１３…フック
１４…溝
１５…仕切り
１６…平坦面
１７…防虫パッキン
１８…扉
【図１】
2004313502.tif 000003
【図２】
2004313502.tif 000004
【図３】
2004313502.tif 000005